(57)【特許請求の範囲】
【請求項１】
エレベーターのかご枠の上梁に支持される支持体と、
前記上梁の一側に、前記上梁に沿って配置される第１足場板と、
前記上梁の他側に、前記上梁に沿って配置される第２足場板と、
を備え、
前記支持体は、
前記上梁の上面に載せられる第１支持部と、
前記第１支持部に設けられ、前記上梁の一側に配置される第２支持部と、
前記第２支持部に設けられ、前記上梁の一側で、前記上梁より低い位置に配置される第３支持部と、
前記第１支持部に設けられ、前記上梁の他側に配置される第４支持部と、
前記第４支持部に設けられ、前記上梁の他側で、前記上梁より低い位置に配置される第５支持部と、
を備え、
前記第１足場板に第１取付孔が形成され、
前記第１足場板は、前記第３支持部が前記第１取付孔に通されることによって前記第３支持部に設けられ、上面が前記上梁の下面より下方に配置され、
前記第２足場板に第２取付孔が形成され、
前記第２足場板は、前記第５支持部が前記第２取付孔に通されることによって前記第５支持部に設けられ、上面が前記上梁の下面より下方に配置される
エレベーターの足場装置。
【請求項２】
前記第３支持部及び前記第５支持部は、棒状を呈する支持具に備えられ、
前記支持具は、前記上梁の下方を横切るように配置される
請求項１に記載のエレベーターの足場装置。
【請求項３】
前記第１支持部、前記第２支持部、前記第３支持部、前記第４支持部及び前記第５支持部は、所定の長さの部材が曲げられることによって一体的に形成された請求項１に記載のエレベーターの足場装置。
【請求項４】
エレベーターのかご用ガイドレールに設けられた吊り具と、
前記吊り具及び前記第１足場板の間に接続された第１吊りロープと、
前記吊り具及び前記第２足場板の間に接続された第２吊りロープと、
を備えた請求項１から請求項３の何れか一項に記載のエレベーターの足場装置。
【発明の詳細な説明】
【技術分野】
【０００１】
この発明は、エレベーター昇降路内で使用される足場装置に関するものである。
【背景技術】
【０００２】
特許文献１に、エレベーターの足場装置の従来技術が開示されている。特許文献１に記載された足場装置では、ガイドレールにフレームを固定し、このフレームに、作業者の足場となる板を載せている。特許文献１に記載された足場装置は、例えば、主ロープを交換する際に、昇降路内に一時的に設置される。
【先行技術文献】
【特許文献】
【０００３】
【特許文献１】特開２０００−３８８３６号公報
【発明の概要】
【発明が解決しようとする課題】
【０００４】
エレベーターをリニューアルする場合、かごの内装を変更することが多い。かかる場合、エレベーターの保守員は、かごの天井を新しいものに取り替えなければならない。従来の足場装置は、ガイドレールに固定されるため、足場装置をかごの天井から極近い位置に配置することができなかった。このため、足場装置から天井の取り替え作業を行うことが困難であった。
【０００５】
この発明は、上述のような課題を解決するためになされたもので、その目的は、かごの天井を新しいものに取り替える作業を容易に行うことができるエレベーターの足場装置を提供することである。
【課題を解決するための手段】
【０００６】
この発明に係るエレベーターの足場装置は、エレベーターのかご枠の上梁に支持される支持体と、上梁の一側に、上梁に沿って配置される第１足場板と、上梁の他側に、上梁に沿って配置される第２足場板と、を備え、支持体は、上梁の上面に載せられる第１支持部と、第１支持部に設けられ、上梁の一側に配置される第２支持部と、第２支持部に設けられ、上梁の一側で、上梁より低い位置に配置される第３支持部と、第１支持部に設けられ、上梁の他側に配置される第４支持部と、第４支持部に設けられ、上梁の他側で、上梁より低い位置に配置される第５支持部と、を備え、第１足場板に第１取付孔が形成され、第１足場板は、第３支持部が第１取付孔に通されることによって第３支持部に設けられ、上面が上梁の下面より下方に配置され、第２足場板に第２取付孔が形成され、第２足場板は、第５支持部が第２取付孔に通されることによって第５支持部に設けられ、上面が上梁の下面より下方に配置されるものである。
【発明の効果】
【０００７】
この発明に係るエレベーターの足場装置を使用することにより、エレベーターの保守員は、かごの天井を新しいものに取り替える作業を容易に行うことができるようになる。
【図面の簡単な説明】
【０００８】
【図１】この発明の実施の形態１におけるエレベーターの足場装置の要部を示す斜視図である。
【図２】この発明の実施の形態１におけるエレベーターの足場装置の要部を示す側面図である。
【図３】この発明の実施の形態２におけるエレベーターの足場装置の要部を示す平面図である。
【図４】この発明の実施の形態２におけるエレベーターの足場装置の要部を示す側面図である。
【図５】この発明の実施の形態２におけるエレベーターの足場装置の要部を示す斜視図である。
【発明を実施するための形態】
【０００９】
添付の図面を参照して、本発明を詳細に説明する。各図では、同一又は相当する部分に、同一の符号を付している。重複する説明は、適宜簡略化或いは省略する。
【００１０】
実施の形態１．
図１はこの発明の実施の形態１におけるエレベーターの足場装置の要部を示す斜視図である。図２はこの発明の実施の形態１におけるエレベーターの足場装置の要部を示す側面図である。
【００１１】
図１及び図２において、１はエレベーターの昇降路である。昇降路１に、ガイドレール２が設けられる。図では１本のガイドレール２しか示されていないが、ガイドレール２は、２本で一組をなす。ガイドレール２は、エレベーターのかご３の走行（昇降）を案内する。
【００１２】
エレベーターのかご３は、例えば、かご枠４、かご床（図示せず）、かご室（図示せず）を備える。
かご枠４は、四角環状を呈する。かご枠４の下梁４ａは、昇降路１内で水平に配置される。下梁４ａの一端部に、縦柱４ｂの下端部が固定される。縦柱４ｂは、下梁４ａから鉛直上向きに配置される。縦柱４ｂは、例えば、一方のガイドレール２に対向するように配置される。
【００１３】
下梁４ａの他端部に、縦柱４ｃの下端部が固定される。縦柱４ｃは、下梁４ａから鉛直上向きに配置される。縦柱４ｂ及び４ｃは、平行に配置される。縦柱４ｃは、例えば、他方のガイドレール２に対向するように配置される。縦柱４ｂの上端部及び縦柱４ｃの上端部間に、上梁４ｄが設けられる。上梁４ｄは、昇降路１内で水平に配置される。上梁４ｄ及び下梁４ａは、平行に配置される。
【００１４】
下梁４ａの上面に、かご床が固定される。かご床の上面に、かご室が設けられる。即ち、かご枠４は、かご室の重量及びかご室内にいる乗客の重量を支持する。かご室は、かご枠４の内側に形成された空間を貫通するように配置される。このため、かご室の天井５（天井部）は、上梁４ｄの下方に、上梁４ｄから所定距離離れた位置に配置される。
【００１５】
エレベーターの主ロープ６は、かご３を昇降路１内で吊り下げるためのものである。主ロープ６は、例えば、一端部が、かご枠４の上梁４ｄの中央部に連結される。
【００１６】
次に、エレベーターの足場装置について説明する。足場装置は、エレベーターをリニューアルする時等に、一時的に使用されるものである。エレベーターの保守員は、かご３の内装を変更する場合等、かご３の天井５を新しいものに取り替える時に、この足場装置を昇降路１内に設置する。
【００１７】
足場装置は、複数の支持体７、足場板８及び９、吊り具１０、吊りロープ１１及び１２を備える。
支持体７は、足場板８及び９の重量や、足場板８及び９に乗った保守員の重量を支持するためのものである。支持体７は、上梁４ｄに支持される。
【００１８】
支持体７は、例えば、支持部７ａ乃至７ｅを備える。
支持部７ａは、上梁４ｄの上面に載せられる。支持部７ａは、上梁４ｄの上方を横切るように配置される。
【００１９】
支持部７ｂは、上梁４ｄの一側（例えば、昇降路１の出入口側）に配置される。支持部７ｂは、上端部が、支持部７ａの一端部に設けられる。支持部７ｂは、支持部７ａの一端部から下方に延びる。支持部７ｂの下端部は、上梁４ｄより下方で、天井５より上方に配置される。支持部７ｃは、上梁４ｄの他側（例えば、昇降路１の奥側）に配置される。支持部７ｃは、上端部が、支持部７ａの他端部に設けられる。支持部７ｃは、支持部７ａの他端部から下方に延びる。支持部７ｃの下端部は、上梁４ｄより下方で、天井５より上方に配置される。
【００２０】
支持部７ｄは、一端部が、支持部７ｂの下端部に設けられる。支持部７ｄは、支持部７ｂの下端部から、上梁４ｄの一側（例えば、昇降路１の出入口側）に更に延びるように水平に配置される。このため、支持部７ｄは、上梁４ｄの一側に配置される。また、支持部７ｄは、上梁４ｄより下方で、天井５より上方に配置される。支持部７ｅは、一端部が、支持部７ｃの下端部に設けられる。支持部７ｅは、支持部７ｃの下端部から、上梁４ｄの他側（例えば、昇降路１の奥側）に更に延びるように水平に配置される。このため、支持部７ｅは、上梁４ｄの他側に配置される。また、支持部７ｅは、上梁４ｄより下方で、天井５より上方に配置される。
【００２１】
支持部７ａ乃至７ｅは、例えば、それぞれが単管パイプのようなパイプ材で構成される。支持部７ａ乃至７ｅは、所定の継ぎ手によって接続され、全体として、図１及び図２に示されているような形状に形成される。支持部７ａ乃至７ｅをそれぞれ短い棒状部材で構成することにより、支持体７を簡素化することができる。継ぎ手による接続位置を調節することにより、上梁４ｄの位置や形状に関わらず、支持体７を上梁４ｄに取り付けることができる。また、支持部７ｄ及び７ｅの高さも自在に調節できる。
【００２２】
所定の長さを有するパイプ材を、図１及び図２に示すような形状に曲げることにより、支持部７ａ乃至７ｅを一体的に形成しても良い。また、パイプ材を折り曲げることによって支持部７ａ乃至７ｅの一部を形成しても良い。かかる場合、支持部７ａ乃至７ｅの残りを、単管パイプのようなパイプ材で構成し、継ぎ手によって上記一部に接続する。
【００２３】
足場板８及び９は、エレベーターの保守員が天井５を取り替える際に乗って作業を行うためのものである。足場板８及び９は、支持体７に設けられる。本実施の形態では、上梁４ｄに、２つの支持体７が掛けられている場合を一例として示している。足場板８及び９は、この２つの支持体７に支持される。
【００２４】
足場板８は、上梁４ｄの一側で、上梁４ｄより低い位置に配置される。足場板８の両端部に、支持体７に取り付けるための取付孔が形成される。足場板８の一端部は、一方の支持体７の支持部７ｄが上記取付孔に通されることにより、支持体７に支持される。足場板８の他端部は、他方の支持体７の支持部７ｄが上記取付孔に通されることにより、支持体７に支持される。足場板８が支持部７ｄに設けられることにより、足場板８は、上梁４ｄよりも一段低い位置で、上梁４ｄに沿うように平行に配置される。
【００２５】
足場板９は、上梁４ｄの他側で、上梁４ｄより低い位置に配置される。足場板９の両端部に、支持体７に取り付けるための取付孔が形成される。足場板９の一端部は、一方の支持体７の支持部７ｅが上記取付孔に通されることにより、支持体７に支持される。足場板９の他端部は、他方の支持体７の支持部７ｅが上記取付孔に通されることにより、支持体７に支持される。足場板９が支持部７ｅに設けられることにより、足場板９は、上梁４ｄよりも一段低い位置で、上梁４ｄに沿うように水平に配置される。足場板９は、例えば、足場板８と同じ高さに配置される。
【００２６】
吊り具１０、吊りロープ１１及び１２は、エレベーターの保守員が作業を行う際に、足場板８及び９が揺れることを防止するためのものである。
吊り具１０は、ガイドレール２に、レールクリップ１３を使用して設けられる。吊り具１０は、例えば、板状の部材からなり、一端部がガイドレール２の一側（例えば、昇降路１の出入口側）に突出するように配置される。吊り具１０の他端部は、ガイドレール２の他側（例えば、昇降路１の奥側）に突出するように配置される。吊り具１０は、上梁４ｄより高い位置に配置される。
【００２７】
吊りロープ１１は、吊り具１０の一端部と足場板８との間に接続される。吊りロープ１２は、吊り具１０の他端部と足場板９との間に接続される。吊りロープ１１を接続するために、吊り具１０や足場板８及び９に吊り金具を設けても良い。
【００２８】
次に、上記構成を有する支持装置を昇降路１内に設置する場合の手順について説明する。
かご３の天井５を新しいものに取り替える場合、保守員は、先ず、レールクリップ１３を使用して、吊り具１０をガイドレール２に固定する。吊り具１０をガイドレール２に固定した後、吊りロープ１１の一端部を吊り具１０に接続する。また、吊りロープ１２の一端部を吊り具１０に接続する。
【００２９】
次に、保守員は、支持体７の凹状を呈する部分を上梁４ｄに掛け、支持体７を上梁４ｄに載せる。例えば、支持体７を、上梁４ｄの一方の端部の上と他方の端部の上とに載せる。支持体７を上梁４ｄに載せた後、支持体７に足場板８及び９を取り付ける。この時、足場板８や足場板９が支持体７から外れてしまうことを防止するための部材を、支持体７に固定しても良い。足場板８を支持体７に取り付けた後、吊りロープ１１の他端部を足場板８に接続する。また、足場板９を支持体７に取り付けた後、吊りロープ１２の他端部を足場板９に接続する。
【００３０】
上記構成の足場装置を使用することにより、エレベーターの保守員は、天井５の取替作業を、容易に行うことができるようになる。即ち、保守員が乗って作業を行う位置（足場板８の上面、足場板９の上面）は、上梁４ｄよりも低くなる。このため、天井５に近い位置で作業を行うことができる。エレベーターの保守員に対して、安全で快適な作業環境を提供することができる。
【００３１】
また、本足場装置は、部品点数が少なく、容易且つ迅速に設置することができる。部品点数が少ないため、経済性にも優れる。
【００３２】
実施の形態２．
図３はこの発明の実施の形態２におけるエレベーターの足場装置の要部を示す平面図である。図４はこの発明の実施の形態２におけるエレベーターの足場装置の要部を示す側面図である。図５はこの発明の実施の形態２におけるエレベーターの足場装置の要部を示す斜視図である。
【００３３】
本実施の形態における支持装置は、支持体７の構成が、実施の形態１で開示した構成と相違する。支持装置以外の構成を含め、他の構成は、実施の形態１で開示した構成と同じである。
【００３４】
本実施の形態における支持体７は、支持具１４及び１５により構成される。
支持具１４は、Ｕ字状を呈する。支持具１４は、上記支持部７ａ乃至７ｃの各機能を備える。支持部７ａ乃至７ｃをそれぞれ単管パイプのようなパイプ材で構成しても良い。かかる場合、パイプ材を継ぎ手によって接続し、支持具１４を形成する。
【００３５】
支持具１５は、棒状を呈する。支持具１５は、上記支持部７ｄ及び７ｅの各機能を備える。支持具１５は、上梁４ｄの下方を横切るように水平に配置される。支持具１５の中央部に、（例えば、継ぎ手を介して）支持具１４が固定される。支持体７が適切に取り付けられることにより、上梁４ｄは、支持具１４及び支持具１５によって上下左右が囲まれた状態になる。
【００３６】
次に、支持体７が上記構成を有する場合の設置手順について説明する。
かご３の天井５を新しいものに取り替える場合、保守員は、先ず、レールクリップ１３を使用して、吊り具１０をガイドレール２に固定する。吊り具１０をガイドレール２に固定した後、吊りロープ１１の一端部を吊り具１０に接続する。また、吊りロープ１２の一端部を吊り具１０に接続する。
【００３７】
次に、保守員は、支持具１４を、開口を下向きにして上梁４ｄに載せる。例えば、支持具１４を、上梁４ｄの一方の端部の上と他方の端部の上とに載せる。また、支持具１５に足場板８及び９を取り付けた後、支持具１５を支持具１４に固定する。最後に、吊りロープ１１の他端部を足場板８に接続する。また、吊りロープ１２の他端部を足場板９に接続する。
【００３８】
上記構成を有する足場装置であれば、足場板８及び９の支持体７への取り付けが容易になり、作業性を向上させることができる。
【符号の説明】
【００３９】
１  昇降路
２  ガイドレール
３  かご
４  かご枠
４ａ  下梁
４ｂ、４ｃ  縦柱
４ｄ  上梁
５  天井
６  主ロープ
７  支持体
７ａ〜７ｅ  支持部
８、９  足場板
１０  吊り具
１１、１２  吊りロープ
１３  レールクリップ
１４、１５  支持具
【図１】
0005831366.tif 000002
【図２】
0005831366.tif 000003
【図３】
0005831366.tif 000004
【図４】
0005831366.tif 000005
【図５】
0005831366.tif 000006